(57)【要約】  本発明は、熱可塑性容器を製造する型の底部と、このように製造された容器とに関する。製造された容器（１）は、軸Ｘ−Ｘ’とほぼ同軸に延在する凹状周壁部（６）を有する基部（４）であって、この凹面が壁部（６）すべてに沿って０でない曲率を画定する、基部と、軸Ｘ−Ｘ’とほぼ同軸に延在する管状周壁部（８）を形成する環状領域（７）であって、軸Ｘ−Ｘ’と上記壁部（８）との間の横断する径方向距離が、軸Ｘ−Ｘ’と上記基部（４）の凹状周壁部（６）に沿う任意の点との間における横断する径方向距離よりも長い、環状領域と、基部（４）と環状領域（７）との間における接続領域を形成する肩部（９）と、を備える。上記環状領域の深さは、環状領域（７）の直径の０．５％から２％の間、好ましくは１％から１．５％の間の範囲、特に１．２％であり、基部（４）の高さは、５ｍｍから１５ｍｍの間にある。
2011509202.tif 000002
【特許請求の範囲】
【請求項１】
熱可塑性材料のプリフォームを延伸ブロー成形することによって得られるタイプの容器（１）であって、管状本体部（３）が備え付けられる底部（２）からなり、当該容器は、
−  中央部分（５）と、当該容器（１）の内側に向けて方向付けられた凹面を有する凹状周壁部（６）と、有し、前記凹状周壁部が、当該容器（１）の軸Ｘ−Ｘ’とほぼ同軸に延在し、前記凹面が、前記凹状周壁部（６）のすべての点において０でない曲率を画定する、基部（４）と、
−  前記基部（４）の上方に位置し、管状周壁部（８）を形成する、環状領域（７）と、
−  前記基部（４）と前記環状領域（７）との間の接続領域を形成する、肩部（９）と、
を備え、
前記環状領域（７）は、前記管状本体部（３）の少なくとも下側部分の延長部に位置し、
前記軸Ｘ−Ｘ’と前記管状周壁部（８）との間の径方向距離は、前記軸Ｘ−Ｘ’と前記基部の前記凹状周壁部（６）の任意の点との間の径方向距離よりも大きいことを特徴とする容器。
【請求項２】
前記肩部（９）は、当該肩部の輪郭に沿うすべての点において０でない曲率を画定する凹面を有することを特徴とする請求項１に記載の容器。
【請求項３】
前記肩部（９）は、前記軸Ｘ−Ｘ’を横断する少なくとも１つのほぼ直線的な壁部（１０）と、当該容器の軸と平行であり前記管状周壁部（８）に対応する少なくとも１つのほぼ直線的な壁部と、を備えることを特徴とする請求項１に記載の容器。
【請求項４】
前記肩部（９）は、前記軸Ｘ−Ｘ’に対して傾斜した少なくとも１つの壁部（１１）を備えることを特徴とする請求項１に記載の容器。
【請求項５】
前記肩部（９）の深さＰは、前記環状領域（７）の直径の０。５％から２％のオーダー、好ましくは１％から１．５％、特に１．２％であることを特徴とする請求項１に記載の容器。
【請求項６】
前記肩部（９）の深さＰは、前記管状本体部（３）の下側部分の直径が５０ｍｍから１２０ｍｍである容器について、０．５ｍｍから２．５ｍｍの間であることを特徴とする請求項１に記載の容器。
【請求項７】
前記基部（４）の前記凹状周壁部（６）の平均曲率半径Ｒｐは、５ｍｍから２０ｍｍの間であることを特徴とする請求項１に記載の容器。
【請求項８】
前記基部（４）の前記凹状周壁部（６）の曲率半径Ｒｐは、前記基部（４）の前記中央部分（５）と前記肩部（９）との間で可変であることを特徴とする請求項１に記載の容器。
【請求項９】
前記基部（４）の前記凹状周壁部（６）の高さＨは、５ｍｍから１５ｍｍの間であることを特徴とする請求項１に記載の容器。
【請求項１０】
熱可塑性材料のプリフォームを延伸ブロー成形することによって得られるタイプの容器を形成する型であって、当該型は、前記容器の底部（２）及び前記容器の本体部（３）を意味する前記容器の異なる部分を形成するためのキャビティを構成する異なる構成要素を備え、
前記キャビティは、特に、
−  中央部分と凹状周壁部であって内側に向けて方向付けられた当該凹状周壁部の凹面を有する凹状周壁部とを有する基部のための陥凹部であって、前記凹状周壁部が当該型の軸とほぼ同軸に延在し、前記キャビティが前記凹状周壁部に沿うすべての点において０でない曲率を画定する、陥凹部と、
−  前記基部の上方に位置する環状領域のための陥凹部であって、周壁部を形成する、陥凹部と、
−  前記基部と前記環状領域との間の接続領域を形成する肩部のための陥凹部と、
を備え、
前記環状領域は、前記管状本体部についての前記陥凹部の少なくとも下側部分の延長部に位置し、
当該型の軸と前記管状周壁部との間の径方向距離は、前記軸と前記基部のための前記陥凹部の前記凹状周壁部における任意の点との間の径方向距離よりも大きいことを特徴とする型。
【請求項１１】
前記肩部のための前記陥凹部は、当該陥凹部の輪郭に沿うすべての点において０でない曲率を画定する凹面を有することを特徴とする請求項１０に記載の型。
【請求項１２】
前記肩部のための前記陥凹部は、当該型の前記軸を横断する少なくとも１つのほぼ直線的な壁部と、前記軸と平行な少なくとも１つのほぼ直線的な壁部と、を備えることを特徴とする請求項１０に記載の型。
【請求項１３】
前記肩部のための前記陥凹部は、当該型の軸に対して傾斜した少なくとも１つの壁部を備えることを特徴とする請求項１０に記載の型。
【請求項１４】
前記肩部のための前記陥凹部の深さは、前記環状領域の直径の０．５％から２％のオーダー、好ましくは１％から１．５％、特に１．２％であることを特徴とする請求項１０に記載の型。
【請求項１５】
前記肩部のための前記陥凹部の深さは、前記管状本体部のための前記陥凹部の管状である下側部分の内径が５０ｍｍから１２０ｍｍの間である型について、０．５ｍｍから２．５ｍｍの間であることを特徴とする請求項１０に記載の型。
【請求項１６】
前記基部のための前記陥凹部における前記凹状周壁部の平均曲率半径は、５ｍｍから２０ｍｍの間であることを特徴とする請求項１０に記載の型。
【請求項１７】
前記基部のための前記陥凹部における前記凹状周壁部の曲率半径は、前記基部自体と前記肩部との間で可変であることを特徴とする請求項１０に記載の型。
【請求項１８】
前記基部のための前記陥凹部における前記凹状周壁部の高さは、５ｍｍから１５ｍｍの間であることを特徴とする請求項１０に記載の型。
【発明の詳細な説明】
【技術分野】
【０００１】
本発明は、全体的に、ブロー成形または延伸ブロー成形によって、容器を、特に、ブロー成形または延伸ブロー成形によって、ＰＥＴ（ポリエチレンテレフタレート）のような熱可塑性材料のボトルを、製造することに関する。
【０００２】
より具体的には、本発明は、容器の底部と容器の製造型、特に型の底部とになされる改善に関する。
【背景技術】
【０００３】
熱可塑性材料の容器の製造は、一般的に比較的複雑であり、容器の底部は、最も注意を必要とする部分の１つである。容器の底部は、容器内に収容されている液柱の重量を支持しており、底部の機械的強度が不十分である場合、底部は、その形状を損ない、容器は、もはや平坦な支持部上において適切な態様のままとならない。
【０００４】
したがって、容器の底部は、正確な形状へブロー成形または延伸ブロー成形することが特に重要である容器の部分であるが、プリフォームの底部における熱可塑性材料の厚さが他の場所よりも著しく厚いので、形付けることが困難な部分であり、結果として、延伸が遅くなりかつこの容器の底部を正確に形成することがより困難となる。
【０００５】
容器の底部において材料の分布が不正確であることは、容器の安定性に影響する。このような不正確な分布は、底部の中央部分及び／または周壁部において発生し、容器の基部の位置及び／または形状を変更することがあり、容器は、もはや平坦な支持部上において適切な態様のままとならない。
【０００６】
その機械的強度を改善するため、底部は、従来、正確に形成されると所望の機械的強度をもたらすとされている多数の隆起または陥没領域を有する複雑なまたは非常に複雑な形状を有している。
【０００７】
底部の任意の場所において、機械的強度は、液体の重量及び（このタイプの容器がしばしば炭酸飲料を収容するために使用されているように）内圧で底部が崩壊することを防止するのに十分でなければならない。
【０００８】
例えば、特許文献１は、比較的複雑な底部を有するいくつかの容器のモデルを示しており、この底部は、１つの領域から別の領域に異なる曲率半径を有する異なる直径からなる複数の別個の領域を備えており、階段状の底部を形成する。ボトルの支持基部の直径は、容器本体部の直径と比較して比較的小さく、この支持基部を囲む部分の上方には、椀状でありかつその強度を改善するために垂直リブを有して補強された第２段部がある。
【０００９】
容器及び特に容器の底部の複雑な形状は、正確に形成された容器をもたらす場合、吹込条件、特に吹込圧の正確かつ注意深い制御を必要とする。
【００１０】
底部領域の材料を形成するまたは形付けることは、現在、高圧（主として４０×１０５Ｐａのオーダー）下で吹き込むことによって得られており、時間当たり数千の容器からなる高い製造速度においてこのような形成しかつ形付けることを組み合わせることを可能とする。
【００１１】
しかしながら、このような高圧の吹込流体（一般的に空気）を生成することは、使用される材料及び電気の観点から非常にコストがかかり、製造者は、低圧を使用して材料のコストを低くすることによってこのステーションにおけるコストを削減したがっている。さらに、現在の製造条件の下で製造速度を増大させることを考え出すことは困難である。
【００１２】
また、材料がその初期形状（プリフォーム）から最終容器の陥凹に対応する型壁部からなる形状になるように、材料が受ける時折複雑である経路に圧力をかけるべきであり、上記陥凹は、特に上記容器の底部において、方向が変化するまたは屈曲点のある経路にこの材料を押し込み、これら方向の変化は、９０°以上の角度における変化に対応する。
【００１３】
これは、プリフォームのこの底部領域における材料の十分な厚さと共に、成形キャビティの壁部への材料の被覆を不十分にさせ、かつ型に接する材料の冷却を不適切にさせ、その結果、容器の底部のすべてまたは一部の品質を低下させる。さらに、プリフォームから型壁部への材料のこの移動は、一定時間を必要とする。
【００１４】
熱可塑性材料の容器の製造者は、可能ならば（成形キャビティの十分でない被覆をもたらしそうになる）十分に低い吹込圧で、特に（成形中における材料の迅速な配置を必要とする）ますます増大する製造速度で、少量の熱可塑性材料を必要とする容器を製造することを試みることによって、常に、経済的な製造条件を改善しようとしている。
【００１５】
ブロー成形が困難である部分は、型底部の中心軸から最も離間している部分である。
【００１６】
この困難性は、吹き込まれた材料が蓄積しやすい型底部の所定領域があるときにより強調され、このような蓄積は、材料が自由に流動して型底部全体を被覆することを妨げる。
【００１７】
これは、リブが型底部に加えられて容器底部の径方向の剛性を強化する場合である。この解決法は、結果として吹き込まれた材料でリブを被覆することを困難とし、吹き込まれた材料の流動を阻害する。
【００１８】
このような問題は、特許文献２及び特許文献３に記載された容器のような容器によって生じる。さらに、特許文献３の場合において、留意すべきことは、フランジ部があることによって取り扱い中、特に運搬中においてボトルを不安定にし、容器は、詰め込まれかつ互いに這い上がる傾向を有し、この傾向は、容器の安定性に悪影響を与える。
【先行技術文献】
【特許文献】
【００１９】
【特許文献１】米国特許出願公開第２００４／０２５１２５８号明細書
【特許文献２】仏国特許第２８９２０４８号明細書
【特許文献３】英国特許第２０４１２８６号明細書
【発明の概要】
【発明が解決しようとする課題】
【００２０】
したがって、径方向の剛性を強化した容器底部の正確な成形を可能とする一方で適切なプリフォームをこのようなブロー成形または延伸ブロー成形することによって製造する従来技術には、解決法が存在しない。本発明は、これら問題への解決法を提案する。
【課題を解決するための手段】
【００２１】
本発明の第１の態様は、熱可塑性材料のプリフォームを延伸ブロー成形することによって得られる容器に関し、上記容器は、特に、管状本体部が備え付けられる底部を有し、
−  中央部と上記容器の内側に向けて方向付けられた凹面を有する凹状周壁部とを有し、上記凹状周壁部が、上記容器の軸とほぼ同軸に延在し、上記凹面が、上記凹状周壁部に沿うすべての点において０でない曲率を画定する、基部と、
−  上記基部の上方に位置し、管状周壁部を形成する、環状領域と、
−  上記基部と上記環状領域との間の接続領域を形成する、肩部と、
を備え、上記環状領域が、上記管状本体部の少なくとも下側部分の延長部に位置し、上記容器の上記軸と上記環状領域の上記管状周壁部との間の径方向距離が、上記容器の上記軸と上記基部の上記凹状周壁部との間の径方向距離よりも大きい。
【００２２】
有利な形態において、肩部は、その輪郭に沿うすべての点において０でない曲率を画定する凹面を有する。
【００２３】
さらに有利な形態において、肩部は、容器の軸を横断する少なくとも１つのほぼ直線的な壁部と、上記容器の軸と平行な少なくとも１つのほぼ直線的な壁部と、を備える。
【００２４】
別の有利な形態において、肩部は、容器の軸に対して傾斜した少なくとも１つの壁部を備える。
【００２５】
さらに本発明において、肩部の深さは、環状領域の直径の０．５％から２％のオーダー、好ましくは１％から１．５％、特に１．２％である。
【００２６】
本発明の別の構成において、肩部の深さは、管状本体部の下側部分における直径が５０ｍｍから１２０ｍｍの間である容器について、０．５ｍｍから２．５ｍｍである。
【００２７】
さらに本発明において、基部の凹状周壁部における平均曲率半径は、５ｍｍから２０ｍｍの間である。
【００２８】
本発明の別の構成において、基部の凹状周壁部における曲率半径は、上記基部の中央部分と肩部との間で可変である。
【００２９】
さらに本発明において、基部の凹状周壁部における高さは、５ｍｍから１５ｍｍの間である。
【００３０】
また、本発明は、このタイプの容器を得るための型、特に２つの型半体(two mold halves)と共同するかつ／または２つの型半体と一体となる底部に関し、上述した上記容器の陥凹部を備え、上記型は、上記容器の管状本体部に対応するその管状部分の下方において、
−  中央部分と上記型の内側に向けて方向付けられたその凹面を有する凹状周壁部とを備え、上記壁部が上記型の軸とほぼ同軸に延在し、上記凹面が、上記凹状周壁部に沿うすべての点において０でない曲率を画定する、基部と、
−  上記基部の上方に位置する環状領域であって、管状周壁部を形成する、環状領域と、
−  上記基部と上記環状領域との間の接続領域を形成する肩部と、
を備え、上記環状領域が、上記型の少なくとも管状下側部分の延長部に位置し、上記型の軸と上記管状周壁部との間の径方向距離が、上記軸と上記基部の上記凹状周壁部における任意の点との間の径方向距離よりも大きい、陥凹部を備える。
【００３１】
有利な形態において、肩部のための陥凹部は、その輪郭に沿うすべての点において０でない曲率を画定する凹面を有する。
【００３２】
さらに有利な形態において、肩部のための陥凹部は、型の軸を横断する少なくとも１つの直線的な壁部と、上記軸と平行な少なくとも１つのほぼ直線的な壁部と、を備える。
【００３３】
別の有利な形態において、肩部の陥凹部は、型の軸に対して傾斜した少なくとも１つの壁部を備える。
【００３４】
さらに本発明において、肩部のための陥凹部は、環状領域の直径の０．５％から２％のオーダー、好ましくは１％から１．５％、特に１．２％である。
【００３５】
本発明の別の形態において、肩部のための陥凹部は、本体部の下側部分における内径が５０ｍｍから１２０ｍｍである型について、０．５ｍｍから２．５ｍｍの間である。
【００３６】
さらに本発明において、基部の凹状周壁部における平均曲率半径は、５ｍｍから２０ｍｍの間である。
【００３７】
本発明の別の構成において、基部の凹状周壁部における曲率半径は、上記基部の中央部分と肩部との間で可変である。
【００３８】
さらに本発明において、基部の周壁部の高さは、５ｍｍから１５ｍｍの間である。
【００３９】
ここで、本発明は、例示的目的のみのために提供されかつ限定されない実施例と、添付の図面と、を用いて説明される。
【図面の簡単な説明】
【００４０】
【図１】２つの型半体と関連する底部を備える型を用いて得られるタイプの本発明における容器を示す断面図である。
【図２】本発明の第１実施形態における容器底部と型において形付けられる対応するキャビティとを示す拡大図である。
【図３】本発明の第２実施形態における容器底部と型において形付けられる対応するキャビティとを示す拡大図である。
【図４】本発明の第３実施形態における容器底部と型において形付けられる対応するキャビティとを示す拡大図である。
【発明を実施するための形態】
【００４１】
図１及び図２は、ボトルの形態をなす容器１の全体を示しており、容器は、ＰＥＴのような熱可塑性材料からなる図示しないプリフォームをブロー成形または延伸ブロー成形することによって容器を形付けるために使用される成形キャビティの輪郭に対応している。
【００４２】
この容器１は、底部２を備えており、底部２の上には、管状本体部３が取り付けられており、全体は、軸Ｘ−Ｘ’に中心がある。この容器１の形成は、図示しない型を必要とし、型は、例えば仏国特許第２９１２９５２号明細書及び仏国特許第２８８３７９４号明細書などに記載されているように、従来、２つの型半体と底部とを備えている。
【００４３】
容器１の底部２は、双方が上記容器１の軸Ｘ−Ｘ’とほぼ同軸である中央部分５と凹状周壁部６とを備える基部４を備えている。壁部６の凹面は、容器１の内側に向けて方向付けられており、この凹面は、上記壁部６に沿うすべての点において０でない曲率を画定し、この壁部６に直線的な領域がないことを意味する。
【００４４】
基部４の中央部分５は、完全に滑らかであるか、任意の適切な形状を有する。
【００４５】
また、容器１の底部２は、環状領域７を備えており、環状領域は、軸Ｘ−Ｘ’とほぼ同軸である本体部３の管状周壁部８の下側部分を構成する。容器の軸Ｘ−Ｘ’と環状領域７の管状周壁部８との間の横断する径方向距離は、軸Ｘ−Ｘ’と基部４の凹状周壁部６に沿う任意の点との間の横断する径方向距離よりも大きい。
【００４６】
また、容器１の底部２は、肩部９を備えており、肩部は、基部４と環状領域７との間の接続領域を形成する。すなわち、肩部９は、基部４の曲率の（または湾曲部分の）端部において、この基部が容器１の軸Ｘ−Ｘ’とほぼ平行な直線的な領域を有さないようになっている。
【００４７】
この構成は、径方向の剛性を強化した容器底部２を提供し、良好な垂直負荷耐性を有し、また、この配置は、延伸ブロー成形工程中に適切な型に吹き込まれたプリフォーム材料の流動と干渉せずに得られる。
【００４８】
図２に示す実施形態において、肩部９は、凹面であってこの凹面の輪郭に沿うすべての点において０でない曲率を画定する凹面を有する。一方で基部４の凹状周壁部６、他方で肩部９は、容器の軸Ｘ−Ｘ’と同軸または軸Ｘ−Ｘ’を横断する０または無限大の曲率を意味するほぼ直線的な輪郭を有する領域を形成せず、この肩部９は、吹き込まれた熱可塑性材料の蓄積を引き起こしそうになる領域に遭遇することなく、容器の内側に向けて方向付けられ、そして吹き込まれたプリフォームの熱可塑性材料が吹き込むことが可能な全体的に凹状である領域を画定する。
【００４９】
好ましくは、この実施形態において、肩部９の凹面によって画定される曲率は、基部４の凹状周壁部６の輪郭によって画定される曲率よりも小さい。
【００５０】
別の実施形態において、図３に示すように、肩部９は、段差部の形態をなし、容器の軸Ｘ−Ｘ’を横断するほぼ直線的な壁部１０を備えており、上記壁部１０は、基部４の凹状周壁部６とこの同一の基部の管状周壁部８との間に延在する。
【００５１】
管状周壁部８は、容器１の管状本体部３の少なくとも下側部分と対応しており、この壁部が上記本体部３の少なくとも下側部分の延長部に位置することを意味している。
【００５２】
しかしながら、容器１の管状本体部３の下側部分は、管状周壁部８と完全には同一でない。このため、過剰領域７のこの管状周壁部８について、管状本体部３の壁部の横断する径方向距離よりも（例えば、ミリメートルまたは１／１０ミリメートルのオーダーで）若干小さいまたは大きい横断する径方向距離に位置することが可能である。
【００５３】
別の実施形態において、図４に示すように、肩部９は、容器１の軸Ｘ−Ｘ’に関して傾斜する壁部１１を備えている。例として、傾斜壁部１１は、０傾斜の角度（この場合において肩部９は図３に示す形態をなす）から例えば約４５°の最大傾斜を有する角度（この場合において肩部は図４に示す形態をなす）まで変化しうる角度にある。
【００５４】
また、図３に示す実施形態と図４に示す実施形態との双方を組み合わせた肩部９の実施形態を有することは可能であり、これは、肩部９がまず軸Ｘ−Ｘ’を横断するほぼ直線的な壁部、そして１以上の傾斜壁部を有し、上記軸Ｘ−Ｘ’回りに中心付けられた管状周壁部８で終わることを意味する。したがって、肩部９は、鋭角または傾斜の複数の交差部の形態をなす。
【００５５】
肩部９の深さＰは、基部４の凹状周壁部６に接続する点と上記肩部９の径方向及び横断方向で最も遠い点であって周壁部８を意味する点との間の横断径方向距離を意味しており、例えば５０ｍｍから１２０ｍｍの間の範囲にある容器の直径について、０．５ｍｍから２．５ｍｍの間である。
【００５６】
また、肩部９のこの深さＰは、上記容器のタイプ及び性質に基づいて、容器の管状本体部３の下側部分において、環状領域の直径の０．５％から２％の間、好ましくは１％から１．５％の間、特に１．２％であってもよい。
【００５７】
図２に示すように、肩部９のこの深さＰは、上記肩部９において、管状周壁部８の半径Ｒｃと凹状周壁部の上端部における凹状周壁部６の半径Ｒｆとの間の差に対応する。
【００５８】
基部４の周壁部６が全体的に凹面形状をなしているが、この壁部６は、いくつかの異なる曲率半径を有する輪郭を有してもよく、この凹状周壁部６の平均曲率半径Ｒｐは、有利には、５ｍｍから２０ｍｍである。
【００５９】
好ましくは、基部４の凹状周壁部６の高さＨは、５ｍｍから１５ｍｍの間であり、この高さＨは、基部４の中央部分５と肩部９と上記基部４とが接触する領域との間で測定されている。
【００６０】
容器１は、上述のように、０．２リットルから２リットル、または４リットルまでを保持するタイプからなり、凹状周壁部６の平均曲率半径Ｒの値が、この凹状周壁部６が高さＨでありかつ肩部９が深さＰであり、成形された容器１の容量（容積）に部分的に基づくことは、理解される。
【００６１】
好ましくは、環状領域７の管状周壁部８は、上述のように、本体部３の延長部においてほぼシリンダ状であるが、この管状周壁部８は、同様に、複数の小面(facet)の形状のプリズム状であってもよい。
【００６２】
したがって、容器１は、上述のように、本発明の一部である図示しない型を用いて得られ、上記型は、容器の底部２及び本体部３を意味する上記容器の異なる部分の形付けを可能とするキャビティを構成する異なる構成要素を備え、上記キャビティは、特に上記容器の基部４と対応する基部の陥凹と、上記容器の環状領域７に対応する環状領域の陥凹と、上記容器１の肩部９と対応する肩部の陥凹と、を備えており、成形キャビティのこれら異なる構成要素は、図２から図４に示されている。
【００６３】
第１実施形態において、型は、単に、容器の底部２及び本体部３を形付けるために使用される２つの型半体で構成されている。
【００６４】
変形例において、型は、２つの型半体と型底部とで構成されている。容器の底部２の複雑さに応じて、型半体は、上記容器の本体部３のための陥凹部を形成し、型底部は、基部４と環状領域７と上記基部４及び上記環状領域７の間の肩部９を含んで、容器の上記底部２のための陥凹部を形成する、または、型底部は、例えば基部または基部の所定部分、もしくは基部及び肩部など容器の底部２の所定部分のみのための陥凹部を形成し、そして型半体は、容器の本体部３と上記型底部に含まれない容器底部２の部分とのための陥凹部を形成する。
【００６５】
この型において、基部のための陥凹部は、上記容器１の基部の中央部分５と対応する中央部分を有し、凹状周壁部のための陥凹部は、上記容器の凹状周壁部６に対応し、上記凹状周壁部のための上記陥凹部は、型の内側に向けて方向付けられた凹面を有し、凹状周壁部のための陥凹部は、上記型の軸とほぼ同軸に延在し、上記凹面は、上記凹状周壁部のための上記間凹部に沿うすべての点において０でない曲率を画定する。
【００６６】
型の環状領域のための陥凹部は、基部のための陥凹部の上方に位置し、図１の管状本体部３のための陥凹部に対応する型の少なくとも管状下側部分の延長部に位置する管状周壁部の陥凹部を形成する。
【００６７】
型は、基部のための陥凹部と環状領域のための陥凹部との間にある接続領域を形成する肩部のための陥凹部をさらに備える。
【００６８】
型の軸と環状領域の管状周壁部との間の径方向距離は、上記軸と基部の上記凹状周壁部における任意の点よりも大きい。
【００６９】
図２に示すような底部２を有する容器１を得るために、肩部のための型陥凹部は、基部と環状領域との間に位置し、０でない曲率によって特徴付けられる輪郭の凹面を有する。
【００７０】
図３に示す形状からなる底部２を有する容器１を得るために、１つの変形例において、型の基部と環状領域との間における肩部のための陥凹部は、型の軸を横断する少なくとも１つのほぼ直線的な壁部と、上記軸と平行なほぼ直線的な壁部と、を備える。
【００７１】
図４に示される底部に対応する底部２を有する容器１を得るために、別の実施形態において、型の基部と環状領域との間に位置する肩部のための陥凹部は、上記型の軸に対して傾斜する少なくとも１つの壁部を備える。
【００７２】
肩部のための陥凹部の深さＰは、型において、例えば０．２リットルから２リットル、さらに４リットルまでの容積を有する容器について、容器１の管状本体部３の下側部分における環状領域７の直径の例えば０．５％から２％のオーダー、好ましくは１％から１．５％、特に１．２％である。
【００７３】
また、型の型間凹部におけるこの深さＰは、管状本体部の直径が５０ｍｍから１２０ｍｍのオーダーである容器について、０．５ｍｍから２．５ｍｍの間である。
【００７４】
型の基部についての平均曲率半径Ｒｐは、凹状周壁部について、５ｍｍから２０ｍｍの間である。また、この曲率半径Ｒｐは、基部自体と肩部との間で可変である。
【００７５】
型底部の基部における周壁部の高さＨは、例えば５ｍｍから１５ｍｍの間である。
【００７６】
型底部と２つの型半体との間の分割線は、基部と肩部との間の接続部に配置されているが、肩部から型の及び容器１の管状本体部の下側部分に対応するレベルまでの上記領域における任意の点において、環状領域に配置されてもよい。
【符号の説明】
【００７７】
１  容器、２  底部、３  管状本体部、４  基部、５  中央部分、６  凹状周壁部、７  環状領域、８  管状周壁部、９  肩部
【図１】
2011509202.tif 000003
【図２】
2011509202.tif 000004
【図３】
2011509202.tif 000005
【図４】
2011509202.tif 000006
【手続補正書】
【提出日】平成22年9月16日(2010.9.16)
【手続補正１】
【補正対象書類名】特許請求の範囲
【補正対象項目名】全文
【補正方法】変更
【補正の内容】
【特許請求の範囲】
【請求項１】
熱可塑性材料のプリフォームを延伸ブロー成形することによって得られる容器（１）であって、管状本体部（３）が備え付けられる底部（２）からなり、当該容器は、
−  中央部分（５）と、当該容器（１）の内側に向けて方向付けられた凹面を有する凹状周壁部（６）と、有し、前記凹状周壁部（６）が、当該容器（１）の軸Ｘ−Ｘ’とほぼ同軸に延在し、前記凹面が、前記凹状周壁部（６）のすべての点において０でない曲率を画定する、基部（４）と、
−  前記基部（４）の上方に位置し、管状周壁部（８）を形成する環状領域（７）であって、前記管状周壁部（８）が、複数の小面を有するシリンダ状またはプリズム状であり、当該環状領域（７）が、前記管状本体部（３）の少なくとも下側部分の延長部に位置する、環状領域と、
を備え、
−  前記軸Ｘ−Ｘ’と前記管状周壁部（８）との間の径方向距離は、前記軸Ｘ−Ｘ’と前記基部の前記凹状周壁部（６）の任意の点との間の径方向距離よりも大きく、
肩部（９）は、前記基部（４）と前記環状領域（７）との間に設けられ、前記基部（４）と前記環状領域（７）との間の鋭角交差部の形態にある接続領域を形成することを特徴とする容器。
【請求項２】
前記肩部（９）は、当該肩部の輪郭に沿うすべての点において０でない曲率を画定する凹面を有することを特徴とする請求項１に記載の容器。
【請求項３】
前記肩部（９）は、前記軸Ｘ−Ｘ’を横断する少なくとも１つのほぼ直線的な壁部（１０）と、当該容器の軸と平行であり前記管状周壁部（８）に対応する少なくとも１つのほぼ直線的な壁部と、を備えることを特徴とする請求項１に記載の容器。
【請求項４】
前記肩部（９）は、前記軸Ｘ−Ｘ’に対して傾斜した少なくとも１つの壁部（１１）を備えることを特徴とする請求項１に記載の容器。
【請求項５】
前記肩部（９）の深さＰは、前記環状領域（７）の直径の０。５％から２％のオーダー、好ましくは１％から１．５％、特に１．２％であることを特徴とする請求項１に記載の容器。
【請求項６】
前記肩部（９）の深さＰは、前記管状本体部（３）の下側部分の直径が５０ｍｍから１２０ｍｍである容器について、０．５ｍｍから２．５ｍｍの間であることを特徴とする請求項１に記載の容器。
【請求項７】
前記基部（４）の前記凹状周壁部（６）の平均曲率半径Ｒｐは、５ｍｍから２０ｍｍの間であることを特徴とする請求項１に記載の容器。
【請求項８】
前記基部（４）の前記凹状周壁部（６）の曲率半径Ｒｐは、前記基部（４）の前記中央部分（５）と前記肩部（９）との間で可変であることを特徴とする請求項１に記載の容器。
【請求項９】
前記基部（４）の前記凹状周壁部（６）の高さＨは、５ｍｍから１５ｍｍの間であることを特徴とする請求項１に記載の容器。
【請求項１０】
熱可塑性材料のプリフォームを延伸ブロー成形することによって得られる容器を形成する型であって、当該型は、前記容器の底部（２）及び前記容器の本体部（３）を意味する前記容器の異なる部分を形成するためのキャビティを構成する異なる構成要素を備え、
前記キャビティは、特に、
−  中央部分と凹状周壁部であって内側に向けて方向付けられた当該凹状周壁部の凹面を有する凹状周壁部とを有する基部のための陥凹部であって、前記凹状周壁部が当該型の軸とほぼ同軸に延在し、前記キャビティが前記凹状周壁部に沿うすべての点において０でない曲率を画定する、陥凹部と、
−  前記基部の上方に位置する環状領域のための陥凹部であって、周壁部を形成し、前記周壁部が、当該型の軸と平行であり、前記環状領域が、前記管状本体部のための前記陥凹部の少なくとも下側部分の延長部に位置する、陥凹部と、
を備え、
−  当該型の軸と前記管状周壁部との間の径方向距離は、前記軸と前記基部のための前記陥凹部の前記凹状周壁部における任意の点との間の径方向距離よりも大きく、
肩部は、前記基部と前記環状領域との間に設けられ、前記基部と前記環状領域との間の鋭角交差部の形態にある接続領域を形成することを特徴とする型。
【請求項１１】
前記肩部のための前記陥凹部は、当該陥凹部の輪郭に沿うすべての点において０でない曲率を画定する凹面を有することを特徴とする請求項１０に記載の型。
【請求項１２】
前記肩部のための前記陥凹部は、当該型の前記軸を横断する少なくとも１つのほぼ直線的な壁部と、前記軸と平行な少なくとも１つのほぼ直線的な壁部と、を備えることを特徴とする請求項１０に記載の型。
【請求項１３】
前記肩部のための前記陥凹部は、当該型の軸に対して傾斜した少なくとも１つの壁部を備えることを特徴とする請求項１０に記載の型。
【請求項１４】
前記肩部のための前記陥凹部の深さは、前記環状領域の直径の０．５％から２％のオーダー、好ましくは１％から１．５％、特に１．２％であることを特徴とする請求項１０に記載の型。
【請求項１５】
前記肩部のための前記陥凹部の深さは、前記管状本体部のための前記陥凹部の管状である下側部分の内径が５０ｍｍから１２０ｍｍの間である型について、０．５ｍｍから２．５ｍｍの間であることを特徴とする請求項１０に記載の型。
【請求項１６】
前記基部のための前記陥凹部における前記凹状周壁部の平均曲率半径は、５ｍｍから２０ｍｍの間であることを特徴とする請求項１０に記載の型。
【請求項１７】
前記基部のための前記陥凹部における前記凹状周壁部の曲率半径は、前記基部自体と前記肩部との間で可変であることを特徴とする請求項１０に記載の型。
【請求項１８】
前記基部のための前記陥凹部における前記凹状周壁部の高さは、５ｍｍから１５ｍｍの間であることを特徴とする請求項１０に記載の型。
【国際調査報告】
2011509202.tif 000007
2011509202.tif 000008
2011509202.tif 000009
2011509202.tif 000010
2011509202.tif 000011
2011509202.tif 000012